(57)【特許請求の範囲】
【請求項１】
直流電源（１０）の正端子と電子機器（１１）の高電位側端子（１１１）との間に設けられた正側メインスイッチ（３ａ）と、
上記直流電源の負端子と上記電子機器の低電位側端子（１１２）との間に設けられた負側メインスイッチ（３ｂ）と、
上記電子機器の起動時に、該電子機器に並列接続した平滑コンデンサ（１２）に徐々に電流を流すためのプリチャージ抵抗（４）と、
上記プリチャージ抵抗に直列接続されたプリチャージスイッチ（３ｃ）と、
上記正側メインスイッチと、上記負側メインスイッチと、上記プリチャージスイッチとの３個のスイッチ（３）を開閉する第１電磁コイル（５ａ）および第２電磁コイル（５ｂ）と、
上記第１電磁コイルおよび上記第２電磁コイルに接続され、上記スイッチの開閉動作を制御する制御回路部（６）とを備え、
上記プリチャージ抵抗と上記プリチャージスイッチとを直列接続した直列体（１３）が、上記正側メインスイッチ又は上記負側メインスイッチに並列接続されており、
上記制御回路部は、上記３個のスイッチをオフにした電力遮断状態と、上記正側メインスイッチと上記負側メインスイッチとの２個のメインスイッチ（３ａ，３ｂ）のうち上記直列体に並列接続されていないメインスイッチと上記プリチャージスイッチとをオンすることにより上記平滑コンデンサに電荷を蓄えるプリチャージ状態と、該プリチャージ状態の後、上記２個のメインスイッチをオンすることにより上記電子機器に電力を供給する電力供給状態と、を切り替え、
上記３個のスイッチのうち、２個の上記スイッチは上記第１電磁コイルによって開閉され、他の１個の上記スイッチは上記第２電磁コイルによって開閉され、
上記第１電磁コイルに、相対的に低い低電圧を加えることにより、上記２個のスイッチのうち一方のスイッチのみをオンし、上記低電圧よりも高い高電圧を加えることにより、上記２個のスイッチを両方ともオンするよう構成されていることを特徴とする電源システム。
【請求項２】
請求項１に記載の電源システムにおいて、上記電力供給状態は、上記プリチャージ状態の後、上記２個のメインスイッチをオンし、上記プリチャージスイッチをオフする状態であることを特徴とする電源システム。
【請求項３】
請求項２に記載の電源システムにおいて、上記２つのメインスイッチを上記第１電磁コイルによって開閉し、上記プリチャージスイッチを上記第２電磁コイルによって開閉し、上記第１電磁コイルに上記低電圧を加えることにより、上記２つのメインスイッチのうち上記直列体に並列接続していないメインスイッチのみをオンするよう構成されていることを特徴とする電源システム。
【請求項４】
請求項３に記載の電源システムにおいて、上記制御回路部は、上記第１電磁コイルに上記低電圧を加えると共に上記第２電磁コイルに通電することにより、上記直列体に並列接続していないメインスイッチと上記プリチャージスイッチとをオンして上記プリチャージ状態にし、上記平滑コンデンサに電荷が蓄えられた後、上記第１電磁コイルに加える電圧を上記高電圧へ上げることにより、上記２個のメインスイッチをオンし、その後、上記第２電磁コイルへの通電を停止することにより、上記プリチャージスイッチのみをオフして上記電力供給状態にすることを特徴とする電源システム。
【請求項５】
請求項４に記載の電源システムにおいて、上記制御回路部は、上記プリチャージ状態にする前に上記プリチャージスイッチのみをオンし、上記平滑コンデンサに電流が流れたか否か、又は上記平滑コンデンサの電圧が上昇したか否かを判断することにより、上記直列体に並列接続していないメインスイッチが溶着しているか否かを判断する第１溶着判断手段（６５）と、上記第１電磁コイルに低電圧を加えて上記直列体に並列接続していないメインスイッチのみをオンし、上記平滑コンデンサに電流が流れたか否か、又は上記平滑コンデンサの電圧が上昇したか否かを判断することにより、上記直列体に並列接続したメインスイッチまたは上記プリチャージスイッチが溶着しているか否かを判断する第２溶着判断手段（６６）と、を備えることを特徴とする電源システム。
【請求項６】
請求項２に記載の電源システムにおいて、上記直列体に並列接続していないメインスイッチと上記プリチャージスイッチとを上記第１電磁コイルによって開閉し、上記直列体に並列接続したメインスイッチを上記第２電磁コイルによって開閉し、上記第１電磁コイルへ上記低電圧を加えることにより、上記２つのスイッチのうち上記直列体に並列接続していないメインスイッチのみをオンするよう構成されていることを特徴とする電源システム。
【請求項７】
請求項６に記載の電源システムにおいて、上記制御回路部は、上記第１電磁コイルに高電圧を加えることにより、上記直列体に並列接続していないメインスイッチと上記プリチャージスイッチとをオンして上記プリチャージ状態にし、上記平滑コンデンサに電荷が蓄えられた後、上記第２電磁コイルに通電することにより、上記直列体に並列接続したメインスイッチをオンし、その後、上記第１電磁コイルに加える電圧を上記低電圧へ下げることにより、上記プリチャージスイッチのみをオフして上記電力供給状態にすることを特徴とする電源システム。
【請求項８】
請求項７に記載の電源システムにおいて、上記制御回路部は、上記プリチャージ状態にする前に、上記直列体と並列接続していないメインスイッチのみをオンし、上記平滑コンデンサに電流が流れたか否か、又は上記平滑コンデンサの電圧が上昇したか否かを判断することにより、上記直列体に並列接続しているメインスイッチまたはプリチャージスイッチが溶着しているか否かを判断する第１溶着判断手段と、上記直列体に並列接続したメインスイッチのみをオンし、上記平滑コンデンサに電流が流れたか否か、又は上記平滑コンデンサの電圧が上昇したか否かを判断することにより、上記直列体に並列接続していないメインスイッチが溶着しているか否かを判断する第２溶着判断手段と、を備えることを特徴とする電源システム。
【請求項９】
直流電源（１０）の正端子と電子機器（１１）の高電位側端子（１１１）との間、または上記直流電源の負端子と上記電子機器の低電位側端子（１１２）との間に設けられたメインスイッチ（３ｄ）と、
上記電子機器の起動時に、該電子機器に並列接続した平滑コンデンサ（１２）に徐々に電流を流すためのプリチャージ抵抗（４）と、
上記プリチャージ抵抗に直列接続されたプリチャージスイッチ（３ｃ）と、
上記メインスイッチと上記プリチャージスイッチとの２個のスイッチを開閉する電磁コイル（５）と、
上記電磁コイルに接続され、上記２個のスイッチの開閉動作を制御する制御回路部（６）とを備え、
上記プリチャージ抵抗と上記プリチャージスイッチを直列接続した直列体（１３）が、上記メインスイッチに並列接続されており、
上記制御回路部は、上記２個のスイッチをオフにした電力遮断状態と、上記プリチャージスイッチのみをオンすることにより上記平滑コンデンサに電荷を蓄えるプリチャージ状態と、該プリチャージ状態の後、上記２個のスイッチを両方ともオンすることにより上記電子機器へ電力を供給する電力供給状態と、を切り替え、
上記電磁コイルに相対的に低い低電圧を加えることにより、上記プリチャージスイッチのみをオンして上記プリチャージ状態にし、その後、上記低電圧よりも高い高電圧を加えることにより、上記メインスイッチと上記プリチャージスイッチを共にオンして上記電力供給状態にするよう構成されていることを特徴とする電源システム。
【発明の詳細な説明】
【技術分野】
【０００１】
本発明は、電磁コイルと、複数のスイッチとを有する電源システムに関する。
【背景技術】
【０００２】
従来から、図１６に示すごとく、電子機器９２を直流電源９１に電気接続したり、遮断したりするための電源システム９が知られている（下記特許文献１参照）。
【０００３】
直流電源９１の正端子と電子機器９２とは正側配線９９ａによって接続されており、直流電源９１の負端子と電子機器９２とは負側配線９９ｂによって接続されている。正側配線９９ａには正側メインスイッチ９３ａを設けてあり、負側配線９９ｂには負側メインスイッチ９３ｂを設けてある。また、プリチャージ抵抗９４とプリチャージスイッチ９３ｃとを直列接続した直列体９５が、正側メインスイッチ９３ａに並列接続されている。そして、電磁コイル９６への通電と通電停止とを切り替えることにより、個々のスイッチ９３ａ〜９３ｃを開閉するよう構成されている。
【０００４】
電子機器９２には、直流電圧を平滑化するための平滑コンデンサ９８を接続してある。電子機器９２を起動する際、平滑コンデンサ９８に電荷が蓄えられていない状態で、正側メインスイッチ９３ａと負側メインスイッチ９３ｂをオンすると、平滑コンデンサ９８に突入電流が流れ、これらのスイッチ９３ａ，９３ｂが溶着する場合がある。そのため、電子機器９２を稼働する際には、まずプリチャージスイッチ９３ｃと負側メインスイッチ９３ｂをオンし、プリチャージ抵抗９４を介して平滑コンデンサ９８に電流を徐々に流す。これにより、平滑コンデンサ９８に突入電流が流れてメインスイッチ９３ａ，９３ｂが溶着する不具合を防止している。
そして、平滑コンデンサ９８に電荷が充分に蓄えられた後、正側メインスイッチ９３ａをオンし、プリチャージスイッチ９３ｃをオフする。このようにすると、２つのメインスイッチ９３ａ，９３ｂがオンになるため、直流電源９１から電子機器９２へ電力が給される。
【０００５】
このように電源システム９は、複数のスイッチ９３ａ〜９３ｃのうち、オンするスイッチ９３の組み合わせを変えることにより、平滑コンデンサ９８を充電する状態（プリチャージ状態）と、電子機器９２に電力を供給する状態（電力供給状態）とを切り替えるよう構成されている。
【先行技術文献】
【特許文献】
【０００６】
【特許文献１】特開２００５−２２２８７１号公報
【発明の概要】
【発明が解決しようとする課題】
【０００７】
しかしながら、従来の電源システム９は、正側メインスイッチ９３ａと負側メインスイッチ９３ｂとプリチャージスイッチ９３ｃとを、それぞれ別々の電磁コイル９６によって開閉しているため、これらのスイッチ９３ａ〜９３ｃと同じ数の電磁コイル９６が必要であった。そのため電磁コイル９６の数が増え、電源システム９の製造コストが上昇したり、軽量化しにくいという問題があった。
【０００８】
本発明は、かかる背景に鑑みてなされたもので、スイッチの数よりも電磁コイルの数を少なくすることができる電源システムを提供しようとするものである。
【課題を解決するための手段】
【０００９】
本発明の第１の態様は、直流電源の正端子と電子機器の高電位側端子との間に設けられた正側メインスイッチと、
上記直流電源の負端子と上記電子機器の低電位側端子との間に設けられた負側メインスイッチと、
上記電子機器の起動時に、該電子機器に並列接続した平滑コンデンサに徐々に電流を流すためのプリチャージ抵抗と、
上記プリチャージ抵抗に直列接続されたプリチャージスイッチと、
上記正側メインスイッチと、上記負側メインスイッチと、上記プリチャージスイッチとの３個のスイッチを開閉する第１電磁コイルおよび第２電磁コイルと、
上記第１電磁コイルおよび上記第２電磁コイルに接続され、上記スイッチの開閉動作を制御する制御回路部とを備え、
上記プリチャージ抵抗と上記プリチャージスイッチとを直列接続した直列体が、上記正側メインスイッチ又は上記負側メインスイッチに並列接続されており、
上記制御回路部は、上記３個のスイッチをオフにした電力遮断状態と、上記正側メインスイッチと上記負側メインスイッチとの２個のメインスイッチのうち上記直列体に並列接続されていないメインスイッチと上記プリチャージスイッチとをオンすることにより上記平滑コンデンサに電荷を蓄えるプリチャージ状態と、該プリチャージ状態の後、上記２個のメインスイッチをオンすることにより上記電子機器に電力を供給する電力供給状態と、を切り替え、
上記３個のスイッチのうち、２個の上記スイッチは上記第１電磁コイルによって開閉され、他の１個の上記スイッチは上記第２電磁コイルによって開閉され、
上記第１電磁コイルに、相対的に低い低電圧を加えることにより、上記２個のスイッチのうち一方のスイッチのみをオンし、上記低電圧よりも高い高電圧を加えることにより、上記２個のスイッチを両方ともオンするよう構成されていることを特徴とする電源システムにある（請求項１）。
【００１０】
また、本発明の第２の態様は、直流電源の正端子と電子機器の高電位側端子との間、または上記直流電源の負端子と上記電子機器の低電位側端子との間に設けられたメインスイッチと、
上記電子機器の起動時に、該電子機器に並列接続した平滑コンデンサに徐々に電流を流すためのプリチャージ抵抗と、
上記プリチャージ抵抗に直列接続されたプリチャージスイッチと、
上記メインスイッチと上記プリチャージスイッチとの２個のスイッチを開閉する電磁コイルと、
上記電磁コイルに接続され、上記２個のスイッチの開閉動作を制御する制御回路部とを備え、
上記プリチャージ抵抗と上記プリチャージスイッチを直列接続した直列体が、上記メインスイッチに並列接続されており、
上記制御回路部は、上記２個のスイッチをオフにした電力遮断状態と、上記プリチャージスイッチのみをオンすることにより上記平滑コンデンサに電荷を蓄えるプリチャージ状態と、該プリチャージ状態の後、上記２個のスイッチを両方ともオンすることにより上記電子機器へ電力を供給する電力供給状態と、を切り替え、
上記電磁コイルに相対的に低い低電圧を加えることにより、上記プリチャージスイッチのみをオンして上記プリチャージ状態にし、その後、上記低電圧よりも高い高電圧を加えることにより、上記メインスイッチと上記プリチャージスイッチを共にオンして上記電力供給状態にするよう構成されていることを特徴とする電源システムにある（請求項９）。
【発明の効果】
【００１１】
上記第１の態様に係る電源システムは、第１電磁コイルに低電圧を加えることにより、２個のスイッチのうち一方のスイッチのみをオンにし、高電圧を加えることにより、２個のスイッチを両方ともオンするよう構成されている。
このようにすると、第１電磁コイルに加える電圧を変えることにより、２個のスイッチのうち一方のスイッチのみをオンしたり、両方のスイッチをオンしたりすることが可能になる。また、上記電源システムは、他の１個のスイッチを第２電磁コイルによって開閉している。そのため、これら２個の電磁コイルを使って３つのスイッチを開閉することができ、上記電力遮断状態と上記プリチャージ状態と上記電力供給状態とを容易に切り替えることが可能になる。
このように、上記構成にすることにより、電磁コイルの数をスイッチの数より少なくしつつ、上記３つの状態の切り替えを行うことが可能になる。そのため、電源システムの製造コストを低減することができる。
【００１２】
また、上記第２の態様に係る電源システムは、電磁コイルに低電圧を加えることにより、プリチャージスイッチのみをオンにし、高電圧を加えることにより、メインスイッチとプリチャージスイッチを両方ともオンするよう構成されている。
このようにすると、電磁コイルに加える電圧を変えることにより、プリチャージスイッチのみをオンしたり、両方のスイッチをオンしたりすることが可能になる。そのため、この１個の電磁コイルを使って２つのスイッチを開閉し、上記電力遮断状態と上記プリチャージ状態と上記電力供給状態とを容易に切り替えることができる。
このように、上記構成にすることにより、電磁コイルの数をスイッチの数より少なくしつつ、上記３つの状態の切り替えを行うことが可能になる。そのため、電源システムの製造コストを低減することができる。
【００１３】
以上のごとく、スイッチの数よりも電磁コイルの数を少なくすることができる電源システムを提供することができる。
【図面の簡単な説明】
【００１４】
【図１】実施例１における、電力遮断状態での電源システムの回路図。
【図２】実施例１における、プリチャージ状態での電源システムの回路図。
【図３】実施例１における、電力供給状態での電源システムの回路図。
【図４】実施例１における、正側メインスイッチ及び負側メインスイッチを開閉するリレーの断面図。
【図５】実施例１における、第１電磁コイルに低電圧を加えた状態での、リレーの断面図。
【図６】実施例１における、第１電磁コイルに高電圧を加えた状態での、リレーの断面図。
【図７】実施例１における、プリチャージスイッチを開閉するリレーの断面図。
【図８】実施例１における、制御回路部のブロック図。
【図９】実施例１における、電源システムの、溶着確認を行う際のフローチャート。
【図１０】実施例１における、電源システムの、電源接続時のフローチャート。
【図１１】実施例２における、電源システムの回路図。
【図１２】実施例２における、電源システムの、溶着確認を行う際のフローチャート。
【図１３】実施例２における、電源システムの、電源接続時のフローチャート。
【図１４】実施例３における、電源システムの回路図。
【図１５】実施例３における、電源システムのフローチャート。
【図１６】従来例における、電源システムの回路図。
【発明を実施するための形態】
【００１５】
上記電源システムにおいて、上記電力供給状態は、上記プリチャージ状態の後、上記２個のメインスイッチをオンし、上記プリチャージスイッチをオフする状態であることが好ましい（請求項２）。
この場合には、電力供給状態においてプリチャージスイッチをオフするため、電力供給状態において瞬間的に過電流が流れて、プリチャージスイッチが溶着する不具合を防止できる。
【００１６】
また、上記２つのメインスイッチを上記第１電磁コイルによって開閉し、上記プリチャージスイッチを上記第２電磁コイルによって開閉し、上記第１電磁コイルに上記低電圧を加えることにより、上記２つのメインスイッチのうち上記直列体に並列接続していないメインスイッチのみをオンするよう構成することができる（請求項３）。
この場合には、２つのメインスイッチを１個の電磁コイル（第１電磁コイル）によって開閉できる。プリチャージスイッチを開閉する電磁コイルは、プリチャージ状態になる比較的短い時間のみ通電されるのに対し、メインスイッチを開閉する電磁コイルは、電子機器を稼動する比較的長い時間、通電される。そのため、メインスイッチを開閉する電磁コイルは高い信頼性が要求され、大型化しやすく、高価になりやすい。したがって、上述のように２つのメインスイッチを１個の電磁コイルによって開閉することにより、大型化しやすい、メインスイッチ用の電磁コイルの数を１個にすることができ、電磁コイルの削減効果を上げることができる。
【００１７】
また、上記制御回路部は、上記第１電磁コイルに上記低電圧を加えると共に上記第２電磁コイルに通電することにより、上記直列体に並列接続していないメインスイッチと上記プリチャージスイッチとをオンして上記プリチャージ状態にし、上記平滑コンデンサに電荷が蓄えられた後、上記第１電磁コイルに加える電圧を上記高電圧へ上げることにより、上記２個のメインスイッチをオンし、その後、上記第２電磁コイルへの通電を停止することにより、上記プリチャージスイッチのみをオフして上記電力供給状態にするよう構成することができる（請求項４）。
仮に、平滑コンデンサに電荷を蓄えた後、プリチャージスイッチをオフにし、その後、２個のメインスイッチをオンにすると、プリチャージスイッチをオフにしてから２個のメインスイッチをオンにするまでの間は平滑コンデンサに電圧が加わらないため、平滑コンデンサに蓄えた電荷が放電しやすくなる。しかしながら上述のように、平滑コンデンサに電荷を蓄えた後、２個のメインスイッチをオンにし、その後、プリチャージスイッチをオフにすれば、これらのスイッチの切り替えを行っている間は平滑コンデンサに電圧が加わるため、平滑コンデンサの電荷が放電されることを防止できる。
【００１８】
また、上記制御回路部は、上記プリチャージ状態にする前に上記プリチャージスイッチのみをオンし、上記平滑コンデンサに電流が流れたか否か、又は上記平滑コンデンサの電圧が上昇したか否かを判断することにより、上記直列体に並列接続していないメインスイッチが溶着しているか否かを判断する第１溶着判断手段と、上記第１電磁コイルに低電圧を加えて上記直列体に並列接続していないメインスイッチのみをオンし、上記平滑コンデンサに電流が流れたか否か、又は上記平滑コンデンサの電圧が上昇したか否かを判断することにより、上記直列体に並列接続したメインスイッチまたは上記プリチャージスイッチが溶着しているか否かを判断する第２溶着判断手段と、を備えていてもよい（請求項５）。
この場合には、電子機器を稼動する前に、３個のスイッチのいずれかが溶着しているか否かを判断することができる。いずれかのスイッチが溶着していると判断した場合には、安全性確保のため、例えば電子機器を稼動しないように制御することができる。そのため、電子機器の安全性をより高めることができる。
なお、例えば平滑コンデンサに電圧計を設けておき、平滑コンデンサの電圧が上昇したか否かを確認することにより、スイッチが溶着しているか否かを判断することができる。
【００１９】
また、上記直列体に並列接続していないメインスイッチと上記プリチャージスイッチとを上記第１電磁コイルによって開閉し、上記直列体に並列接続したメインスイッチを上記第２電磁コイルによって開閉し、上記第１電磁コイルへ上記低電圧を加えることにより、上記２つのスイッチのうち上記直列体に並列接続していないメインスイッチのみをオンするよう構成することができる（請求項６）。
この場合には、第１電磁コイルと第２電磁コイルとの２個の電磁コイルを使って、上記電力遮断状態と上記プリチャージ状態と上記電力供給状態との切り替えを容易に行うことができる。
【００２０】
また、上記制御回路部は、上記第１電磁コイルに高電圧を加えることにより、上記直列体に並列接続していないメインスイッチと上記プリチャージスイッチとをオンして上記プリチャージ状態にし、上記平滑コンデンサに電荷が蓄えられた後、上記第２電磁コイルに通電することにより、上記直列体に並列接続したメインスイッチをオンし、その後、上記第１電磁コイルに加える電圧を上記低電圧へ下げることにより、上記プリチャージスイッチのみをオフして上記電力供給状態にするよう構成することができる（請求項７）。
仮に、平滑コンデンサに電荷を蓄えた後、プリチャージスイッチをオフにし、その後、２個のメインスイッチをオンにすると、プリチャージスイッチをオフにしてから２個のメインスイッチをオンにするまでの間は平滑コンデンサに電圧が加わらないため、平滑コンデンサに蓄えた電荷が放電しやすくなる。しかしながら上述のように、平滑コンデンサに電荷を蓄えた後、２個のメインスイッチをオンにし、その後、プリチャージスイッチをオフにすれば、これらのスイッチの切り替えを行っている間は平滑コンデンサに電圧が加わるため、平滑コンデンサの電荷が放電されることを防止できる。
【００２１】
また、上記制御回路部は、上記プリチャージ状態にする前に、上記直列体と並列接続していないメインスイッチのみをオンし、上記平滑コンデンサに電流が流れたか否か、又は上記平滑コンデンサの電圧が上昇したか否かを判断することにより、上記直列体に並列接続しているメインスイッチまたはプリチャージスイッチが溶着しているか否かを判断する第１溶着判断手段と、上記直列体に並列接続したメインスイッチのみをオンし、上記平滑コンデンサに電流が流れたか否か、又は上記平滑コンデンサの電圧が上昇したか否かを判断することにより、上記直列体に並列接続していないメインスイッチが溶着しているか否かを判断する第２溶着判断手段と、を備えていてもよい（請求項８）。
この場合には、電子機器を稼動する前に、３個のスイッチのいずれかが溶着しているか否かを判断することができる。いずれかのスイッチが溶着していると判断した場合には、安全性確保のため、例えば電子機器を稼動しないように制御することができる。そのため、電子機器の安全性をより高めることができる。
【実施例】
【００２２】
（実施例１）
上記電源システムに係る実施例について、図１〜図１０を用いて説明する。図１に示すごとく、本例の電源システム１は、正側メインスイッチ３ａと、負側メインスイッチ３ｂと、プリチャージ抵抗４と、プリチャージスイッチ３ｃと、第１電磁コイル５ａと、第２電磁コイル５ｂと、制御回路部６とを備える。
正側メインスイッチ３ａは、直流電源１０の正端子と電子機器１１の高電位側端子１１１との間に設けられている。また、負側メインスイッチ３ｂは、直流電源１０の負端子と電子機器１１の低電位側端子１１２との間に設けられている。プリチャージ抵抗４は、電子機器１１の起動時に、電子機器１１に並列接続した平滑コンデンサ１２に徐々に電流を流すために設けられている。
【００２３】
プリチャージスイッチ３ｃは、プリチャージ抵抗４に直列接続してある。第１電磁コイル５ａおよび第２電磁コイル５ｂは、正側メインスイッチ３ａと、負側メインスイッチ３ｂと、プリチャージスイッチ３ｃとの３個のスイッチ３を開閉する。制御回路部６は、第１電磁コイル５ａおよび第２電磁コイル５ｂに接続しており、スイッチ３ａ〜３ｃの開閉動作を制御する。
【００２４】
プリチャージ抵抗４とプリチャージスイッチ３ｃとを直列接続した直列体１３が、正側メインスイッチ３ａに並列接続されている。制御回路部６は、電力遮断状態（図１参照）と、プリチャージ状態（図２参照）と、電力供給状態（図３参照）とを切り替える。
【００２５】
図１に示すごとく、電力遮断状態では、３個のスイッチ３ａ〜３ｃをオフする。また、図２に示すごとく、プリチャージ状態では、直列体１３に並列接続されていないメインスイッチ（負側メインスイッチ３ｂ）と、プリチャージスイッチ３ｃとをオンする。これにより、プリチャージスイッチ３ｃを介して徐々に電流Ｉを流し、平滑コンデンサ１２に電荷を蓄える。
【００２６】
平滑コンデンサ１２に充分に電荷を蓄えた後、図３に示すごとく、電力供給状態に切り替える。電力供給状態では、２個のメインスイッチ３ａ，３ｂをオンし、プリチャージスイッチ３ｃをオフする。この状態で、電子機器１１に電力を供給する。
【００２７】
図１に示すごとく、３個のスイッチ３ａ〜３ｃのうち、２個のスイッチ（正側メインスイッチ３ａ及び負側メインスイッチ３ｂ）を第１電磁コイル５ａによって開閉し、他の１個のスイッチ（プリチャージスイッチ３ｃ）を第２電磁コイル５ｂによって開閉している。
【００２８】
そして、第１電磁コイル５ａに相対的に低い低電圧を加えることにより、２個のスイッチ３ａ，３ｂのうち一方のスイッチ（負側メインスッチ３ｂ）のみをオンし、第１電磁コイル５ａに上記低電圧よりも高い高電圧を加えることにより、２個のスイッチ（正側メインスイッチ３ａ及び負側メインスイッチ３ｂ）を両方ともオンするよう構成されている。
【００２９】
本例の電子機器１１は、電気自動車やハイブリッド車等の車両に搭載される電力変換装置である。
【００３０】
図１に示すごとく、本例では、直流電源１０の正端子と電子機器１１の高電位側端子１１とを、正側配線２ａによって接続してある。この正側配線２ａに、正側メインスイッチ３ａを設けてある。また、本例では、直流電源１０の負端子と電子機器１１の低電位側端子１１２とを負側配線２ｂによって接続してある。この負側配線２ｂに、負側メインスイッチ３ｂを設けてある。正側配線２ａには、電流センサ６９を設けてある。また、本例では、正側メインスイッチ３ａと負側メインスイッチ３ｂと第１電磁コイル５ａとをまとめて一つのリレー（第１リレー１４）にしてある。
【００３１】
第１リレー１４は、図４に示すごとく、第１電磁コイル５ａと、正側メインスイッチ３ａと、負側メインスイッチ３ｂと、ヨーク７１と、２本のプランジャ７（正側プランジャ７ａ及び負側プランジャ７ｂ）と、２個の固定コア７４（正側固定コア７４ａ及び負側固定コア７４ｂ）とを備える。ヨーク７１とプランジャ７と固定コア７４とは、それぞれ軟磁性体からなる。負側プランジャ７ｂと負側固定コア７４ｂは第１電磁コイル５ａの内側に配されており、正側プランジャ７ａと正側固定コア７４ａは第１電磁コイル５ａの外側に配されている。
【００３２】
正側メインスイッチ３ａと負側メインスイッチ３ｂは、それぞれ固定接点３１と、可動接点３２と、固定接点３１を支持する金属製の固定接点支持部３３と、可動接点３２を支持する金属製の可動接点支持部３４とを備える。可動接点支持部３４には接点側ばね部材７３が取り付けられている。接点側ばね部材７３は、可動接点支持部３４を固定接点支持部３３側へ押圧している。
【００３３】
また、プランジャ７と固定コア７４との間には、プランジャ側ばね部材７２が設けられている。プランジャ側ばね部材７２は、プランジャ７を可動接点支持部３４側へ押圧している。プランジャ側ばね部材７２のばね定数は、接点側ばね部材７３のばね定数よりも大きい。
【００３４】
図５に示すごとく、第１電磁コイル５ａに通電すると磁束Φが発生し、第１磁気回路Ｃ１と第２磁気回路Ｃ２との、２つの磁気回路に分かれて磁束Φが流れる。第１磁気回路Ｃ１は、磁束Φが、負側プランジャ７ｂとヨーク７１と負側固定コア７４ｂとを流れる磁気回路である。また、第２磁気回路Ｃ２は、磁束Φが、負側プランジャ７ｂとヨーク７１と正側プランジャ７ａと正側固定コア７４ａと負側固定コア７４ｂとを流れる磁気回路である。
【００３５】
このように、第１磁気回路Ｃ１は磁束Φが流れる長さが短いため、漏れ磁束の量が少なく、第１磁気回路Ｃ１に多くの磁束Φが流れる。そのため、第１電磁コイル５ａに比較的低い電圧（低電圧）を加えても、負側プランジャ７ｂに強い磁力を発生でき、負側プランジャ７ｂを負側固定コア７４ｂに吸引することができる。
【００３６】
これに対し、第２磁気回路Ｃ１は磁束Φが流れる長さが長いため、漏れ磁束の量が多くなり、第２磁気回路Ｃ２を流れる磁束の量は少なくなりやすい。そのため、第１電磁コイル５ａに加える電圧が低いと、正側プランジャ７ａに強い磁力が発生しにくくなり、正側プランジャ７ａを正側固定コア７４ａに吸引できない。
【００３７】
負側プランジャ７ｂを負側固定コア７４ａに吸引すると、接点側ばね部材７３の押圧力により、可動接点支持部３４が固定接点支持部３３側へ押圧される。これにより、負側メインスイッチ３ｂがオンになる。
【００３８】
このように、第１電磁コイル５ａに低電圧を加えることにより、負側プランジャ７ｂのみを吸引し、負側メインスイッチ３ｂのみをオンにすることができる。
【００３９】
また、図６に示すごとく、第１電磁コイル５ａに加える電圧を、上記低電圧よりも高い高電圧に変更すると、第２磁気回路Ｃ２に流れる磁束Φの量が増え、正側プランジャ７ａが正側固定コア７４ａに吸引される。そのため、正側メインスイッチ３ａがオンになる。これにより、正側メインスイッチ３ａと負側メインスイッチ３ｂが共にオンした状態になる。
【００４０】
第１電磁コイル５ａへの通電を停止すると、図４に示すごとく、磁束Φが低減する。そのため磁力が低減し、プランジャ側ばね部材７２の押圧力によって、プランジャ７ａ，７ｂが可動接点支持部３４側へ押圧される。そして、プランジャ７に取り付けた絶縁部材７０が可動接点支持部３４に当接し、接点側ばね部材７３の押圧力に抗して、可動接点支持部３４を固定接点支持部３３から離隔させる。これにより、２個のメインスイッチ３ａ，３ｂがオフになる。
【００４１】
また、図７に示すごとく本例では、第１リレー１４とは別のリレー（第２リレー１５）を有する。上述したプリチャージスイッチ３ｃと第２電磁コイル５ｂは、この第２リレー１５内に設けられている。第２リレー１５には、プランジャ７ｃと、固定コア７４ｃと、ヨーク７１とが設けられている。これらプランジャ７ｃと、固定コア７４ｃと、ヨーク７１は、それぞれ軟磁性体からなる。第２電磁コイル５ｂに通電すると磁力が発生して、プランジャ７ｃが固定コア７４ｃに吸引される。また、第２電磁コイル５ｂへの通電を停止すると、磁力が低減し、プランジャ側ばね部材７２ｃの押圧力によってプランジャ７ｃが可動接点支持部３４側へ押圧される。そのため、プリチャージスイッチ３ｃがオフになる。
このように、第２電磁コイル５ｂへの通電と非通電を切り替えることにより、プリチャージスイッチ３ｃを開閉している。
【００４２】
一方、図８に示すごとく、本例の制御回路部６はＥＣＵ（Engine Control Unit）からなる。制御回路部６は、ＣＰＵ６０と、ＲＯＭ６１と、ＲＡＭ６２と、Ｉ／Ｏ６３と、これらを繋ぐライン６４とを備える。ＲＯＭ６１にはプログラム６１ｐが記憶されている。ＣＰＵ６０がこのプログラム６１ｐを読み出して実行することにより、スイッチ３ａ〜３ｃの開閉を制御している。
【００４３】
また、制御回路部６は、電子機器１１を稼動する前に、スイッチ３ａ〜３ｃが溶着しているか否かを判断する第１溶着判断手段６５および第２溶着判断手段６６を備える。これら第１溶着判断手段６５および第２溶着判断手段６６は、ＣＰＵ６０がプログラム６１ｐを実行することにより実現される。
【００４４】
電子機器１１を稼動する前に、スイッチ３ａ〜３ｃが溶着しているか否かを判断するためのフローチャートを図９に示す。同図に示すごとく、まず、第２電磁コイル５ｂに通電し、３個のスイッチ３ａ〜３ｃのうち、プリチャージスイッチ３ｃのみをオンする（ステップＳ１）。
【００４５】
ステップＳ１を行った後、ステップＳ２に移り、正側配線２ａに設けた電流センサ６９（図１参照）が電流を検出するか否かを判断する。ここで仮に、負側メインスイッチ３ｂが溶着していたとすると、プリチャージスイッチ３ｃをオンした時に平滑コンデンサ１２に電流が流れ、電流センサ６９が電流を検出する。また、負側メインスイッチ３ｂが溶着していなければ、平滑コンデンサ１２には電流が流れず、電流センサ６９は電流を検出しない。
【００４６】
ステップＳ２で電流を検出した（Ｙｅｓ）と判断した場合は、ステップＳ７に移動し、負側メインスイッチ３ｂが溶着していると判定する。そして、電子機器１１を稼動しないように制御する。すなわち、上記プリチャージ状態（図２参照）および上記電力供給状態（図３参照）に移行しないように制御する。
【００４７】
また、ステップＳ２において、電流を検出しない（Ｎｏ）と判断した場合は、負側メインスイッチ３ｂが溶着していないと判定し、ステップＳ３及びステップＳ４を行う。
【００４８】
ステップＳ３ではプリチャージスイッチ３ｃをオフにし、ステップＳ４では、第１電磁コイル５ａに低電圧を加えて、負側メインスイッチ３ｂのみをオンにする。その後、ステップＳ５に移り、電流センサ６９が電流を検出したか否かを判断する。
【００４９】
ここで仮に、プリチャージスイッチ３ｃまたは正側メインスイッチ３ａが溶着していたとすると、負側メインスイッチ３ｂをオンした時に平滑コンデンサ１２に電流が流れ、電流センサ６９（図１参照）が電流を検出する。また、プリチャージスイッチ３ｃまたは正側メインスイッチ３ａが溶着していなければ、負側メインスイッチ３ｂをオンした時に平滑コンデンサ１２に電流は流れず、電流センサ６９は電流を検出しない。
【００５０】
ステップＳ５で電流を検出した（Ｙｅｓ）と判断した場合は、ステップＳ８に移り、正側メインスイッチ３ａ又はプリチャージスイッチ３ｃが溶着していると判定する。そして、電子機器１１を稼動しないように制御する。
また、ステップＳ５で電流を検出しない（Ｎｏ）と判断した場合は、ステップＳ６に移り、全てのスイッチ３ａ〜３ｃが溶着していないと判定する。そして、電子機器１１を稼動する処理（ステップＳ９〜ステップＳ１２：図１０参照）を行う。
【００５１】
なお、本例では、電流センサ６９が電流を検出したか否かを判断することにより、スイッチ３が溶着しているか否かを判定しているが、例えば平滑コンデンサ１２に電圧センサを設けておき、平滑コンデンサ１２の電圧が上昇したか否かを判断することにより、スイッチ３が溶着しているか否かを判定してもよい。また、平滑コンデンサ１２の正側端子と、直流電源１０の負端子との間の電圧を測定する電圧センサを設けておき、ステップＳ５において、この電圧が上昇したか否かを判断することにより、スイッチ３ａ，３ｃが溶着しているか否かを判定してもよい。
【００５２】
図１０に示すごとく、電子機器１１を稼動する際には、まず第２電磁コイル５ｂ（図１参照）に通電して、プリチャージスイッチ３ｃをオンにする（ステップＳ９）。その後、ステップＳ１０に移り、第１電磁コイル５ａに低電圧を加えて、負側メインスイッチ３ｂをオンにする。これにより、プリチャージスイッチ３ｃと負側メインスイッチ３ｂとがオンになったプリチャージ状態（図２参照）となる。
【００５３】
この後、ステップＳ１１に移る。ここで所定時間待機し、平滑コンデンサ１２を充電させる。そして、平滑コンデンサ１２を充分に充電した後、第１電磁コイル３ａに高電圧を加えて、正側メインスイッチ３ａと負側メインスイッチ３ｂを両方ともオンする。
【００５４】
その後、ステップＳ１２に移り、第２電磁コイル３ｂへの通電を停止して、プリチャージスイッチ３ｃをオフにする。これにより、正側メインスイッチ３ａと負側メインスイッチ３ｂのみがオンした電力供給状態（図３参照）となる。
【００５５】
本例の作用効果について説明する。本例の電源システム１は図２に示すごとく、第１電磁コイル５ａに低電圧を加えることにより、２個のスイッチ３ａ，３ｂのうち一方のスイッチ３ｂのみをオンにし、図３に示すごとく、第１電磁コイル５ａに高電圧を加えることにより、２個のスイッチ３ａ，３ｂを両方ともオンするよう構成されている。
このようにすると、第１電磁コイル５ａに加える電圧を変えることにより、２個のスイッチ３ａ，３ｂのうち一方のスイッチ３ｂのみをオンしたり、両方のスイッチ３ａ，３ｂをオンしたりすることが可能になる。また、本例の電源システム１は、他の１個のスイッチ３ｃを第２電磁コイル５ｂによって開閉している。そのため、これら２個の電磁コイル５ａ，５ｂを使って３つのスイッチ３ａ〜３ｃを開閉することができ、電力遮断状態（図１参照）とプリチャージ状態（図２参照）と電力供給状態（図３参照）とを容易に切り替えることが可能になる。
このように、本例では、電磁コイル５の数（２個）をスイッチ３の数（３個）より少なくしつつ、上記３つの状態の切り替えを行うことができる。そのため、電源システム１の製造コストを低減することができる。
【００５６】
また、本例では、２つのスイッチ３ａ，３ｂと第１電磁コイル５ａとによって一つのリレー（第１リレー１４）を構成してある。このようにすると、２つのスイッチ３ａ，３ｂを別々のリレーにした場合と比べて、リレー全体の体積を小さくすることができる。そのため、電源システム１の体積を小さくすることができる。
【００５７】
また、本例では、２つのメインスイッチ３ａ，３ｂを第１電磁コイル５ａによって開閉し、プリチャージスイッチ３ｃを第２電磁コイル５ｂによって開閉するよう構成されている。
このようにすると、２つのメインスイッチ３ａ，３ｂを１個の電磁コイル（第１電磁コイル５ａ）によって開閉できる。プリチャージスイッチ３ｃを開閉する電磁コイルは、プリチャージ状態になる比較的短い時間のみ通電されるのに対し、メインスイッチ３ａ，３ｂを開閉する電磁コイルは、電子機器１１を稼動する比較的長い時間、通電される。そのため、メインスイッチ３ａ，３ｂを開閉する電磁コイル５は高い信頼性が要求され、大型化しやすく、高価になりやすい。したがって、本例のように２つのメインスイッチ３ａ，３ｂを１個の電磁コイル５によって開閉することにより、大型化しやすい、メインスイッチ３ａ，３ｂ用の電磁コイル５の数を１個にすることができ、電磁コイル５の削減効果を上げることができる。
【００５８】
また、本例のように、１個の電磁コイル５を使って２つのメインスイッチ３ａ，３ｂをオンする場合は、２個の電磁コイルを使って２個のメインスイッチをオンする場合と比べて、電力供給状態（図３参照）における電磁コイル５の消費電力を低減することができる。
【００５９】
また、本例では図１０に示すごとく、電源システム１を上記プリチャージ状態（ステップＳ９，Ｓ１０）にし、所定時間待機して（ステップＳ１１）平滑コンデンサ１２に電荷を蓄えた後、２個のメインスイッチ３ａ，３ｂをオンする。その後、第２電磁コイル５ｂへの通電を停止することにより（ステップＳ１２）、プリチャージスイッチ３ｃのみをオフして電力供給状態にする。
仮に、平滑コンデンサ１２に電荷を蓄えた後、プリチャージスイッチ３ｃをオフにし、その後、２個のメインスイッチ３ａ，３ｂをオンにすると、プリチャージスイッチ３ｃをオフにしてから２個のメインスイッチ３ａ，３ｂをオンにするまでの間は平滑コンデンサ１２に電圧が加わらないため、平滑コンデンサ１２に蓄えた電荷が放電しやすくなる。しかしながら上述のように、平滑コンデンサ１２に電荷を蓄えた後、２個のメインスイッチ３ａ，３ｂをオンにし、その後、プリチャージスイッチ３ｃをオフにすれば、これらのスイッチ３の切り替えを行っている間は平滑コンデンサ１２に電圧が加わるため、平滑コンデンサ１２の電荷が放電されることを防止できる。
【００６０】
また、図８、図９に示すごとく、本例の制御回路部６は、電子機器１１を稼動する前にスイッチ３が溶着しているか否かを判断する第１溶着判断手段６５および第２溶着判断手段６６を備える。第１溶着判断手段６５は、プリチャージスイッチ３ｃのみをオンし、電流センサ６９が電流を検出するか否かを確認することにより、直列体１３に並列接続していないメインスイッチ（負側メインスイッチ３ｂ）が溶着しているか否かを判断する。第２溶着判断手段６６は、第１電磁コイル５ａに低電圧を加えて直列体１３に並列接続していないメインスイッチ（負側メインスイッチ３ｂ）のみをオンし、電流センサ６９が電流を検出するか否かを確認することにより、直列体１３に並列接続したメインスイッチ（正側メインスイッチ３ａ）またはプリチャージスイッチ３ｃが溶着しているか否かを判断する。
このようにすると、電子機器１１を稼動する前に、３個のスイッチ３ａ〜３ｃのいずれかが溶着しているか否かを確認することができる。そのため、いずれかのスイッチ３が溶着している場合には、安全性確保のため、電子機器１１を稼動しないように制御することができる。これにより、電子機器１１の安全性をより高めることができる。
【００６１】
なお、本例では、図１に示すごとく、直列体１０を正側メインスイッチ３ａに並列接続したが、直列体１０を負側メインスイッチ３ｂに並列接続してもよい。
【００６２】
また、本例では、電力供給状態（図３参照）においてプリチャージスイッチ３ｃをオフにしているが、電力供給状態でプリチャージスイッチ３ｃをオンし続けてもよい。この場合、電源供給状態では３個のスイッチ３ａ〜３ｃがオンになるが、プリチャージ抵抗４の抵抗値は比較的大きいため、電流はほとんどメインスイッチ３ａ，３ｂを流れ、プリチャージ抵抗４にはあまり電流は流れない。そのため、実用上大きな問題はない。
なお、本例のように、電力供給状態においてプリチャージスイッチ３ｃをオフすると、電子機器１１に電力を供給している時に、何らかの原因で大きな電流が流れた場合でも、プリチャージスイッチ３ｃが溶着することを防止できる。
【００６３】
また、本例では、１本の銅線を使って第１電磁コイル５ａを構成しているが、複数本の銅線を使って第１電磁コイル５ａを構成してもよい。すなわち、第１電磁コイル５ａを複数の部分に分割してもよい。そして、個々の部分を制御回路部６に接続してもよい。また、第２電磁コイル５ｂをこのように構成してもよい。
【００６４】
以上のごとく、本例によれば、スイッチの数よりも電磁コイルの数を少なくすることができる電源システムを提供することができる。
【００６５】
（実施例２）
本例は、第１電磁コイル５ａによって開閉するスイッチ３の組み合わせを変更した例である。図１１に示すごとく、本例では、直列体１３に並列接続していないメインスイッチ（負側メインスイッチ３ｂ）とプリチャージスイッチ３ｃとを第１電磁コイル５ａによって開閉し、直列体１３に並列接続したメインスイッチ（正側メインスイッチ３ａ）を第２電磁コイル５ｂによって開閉する。そして、第１電磁コイル５ａに低電圧を加えた場合には、負側メインスイッチ３ｂのみがオンになり、高電圧を加えた場合には、プリチャージスイッチ３ｃと負側メインスイッチ３ｂとが両方ともオンになるよう構成してある。
【００６６】
本例では実施例１と同様に、電子機器１１を稼動する前に、スイッチ３ａ〜３ｃが溶着しているか否かを確認する。図１２に、溶着を確認する際のフローチャートを示す。
溶着の有無を確認するには、まず、第１電磁コイル３ａに低電圧を加えて、負側メインスイッチ３ｂのみをオンにする（ステップＳ１３）。その後、ステップＳ１４に移り、電流センサ６９が電流を検出したか否かを判断する。ここで仮に、プリチャージスイッチ３ｃ又は正側メインスイッチ３ａが溶着していたとすると、負側メインスイッチ３ｂをオンにした際に平滑コンデンサ１２に電流が流れ、電流センサ６９が電流を検出する。また、プリチャージスイッチ３ｃ又は正側メインスイッチ３ａが溶着していなければ電流は流れず、電流センサ６９は電流を検出しない。
【００６７】
ステップＳ１４において、電流センサ６９が電流を検出した（Ｙｅｓ）と判断した場合は、ステップＳ１９に移り、プリチャージスイッチ３ｃ又は正側メインスイッチ３ａが溶着していると判定する。そして、電子機器１１を稼動しないように制御する。
【００６８】
また、ステップＳ１４において、電流センサ６９が電流を検出しない（Ｎｏ）と判断した場合は、プリチャージスイッチ３ｃ又は正側メインスイッチ３ａが溶着していないと判定し、ステップＳ１５，Ｓ１６を実行する。ステップＳ１５では、負側メインスイッチ３ｂをオフにする。また、ステップＳ１６では、第２電磁コイル５ｂに通電することにより、正側メインスイッチ３ａをオンにする。その後、ステップＳ１７に移る。
【００６９】
ここで仮に、負側メインスイッチ３ｂが溶着していたとすると、正側メインスイッチ３ａをオンにした際に平滑コンデンサ１２に電流が流れ、電流センサ６９が電流を検出する。負側メインスイッチ３ｂが溶着していなければ電流は流れず、電流センサ６９は電流を検出しない。
【００７０】
ステップＳ１７において、電流センサ６９が電流を検出した（Ｙｅｓ）と判断した場合は、ステップＳ２０に移り、負側メインスイッチ３ｂが溶着していると判定する。そして、電子機器１１を稼動しないように制御する。
【００７１】
また、ステップＳ１７において、電流センサ６９が電流を検出しない（Ｎｏ）と判断した場合は、ステップＳ１８に移り、全てのスイッチ３ａ〜３ｃが溶着していないと判定する。そして、電子機器１１を稼動する処理（ステップＳ２１〜Ｓ２３：図１３参照）を行う。
【００７２】
なお、上記ステップＳ１３〜Ｓ２０は、実施例１と同様に、制御回路部６の第１溶着判断手段６５および第２溶着判断手段６６が行う。
【００７３】
図１３に示すごとく、電子機器１１を稼動する際には、まず、第１電磁コイル５ａに高電圧を印加し、プリチャージスイッチ３ｃと負側メインスイッチ３ｂを両方ともオンする（ステップＳ２１）。これにより、プリチャージ抵抗４を介して平滑コンデンサ１２に徐々に電荷を蓄えるプリチャージ状態になる。
【００７４】
ステップＳ２１の後、ステップＳ２２を行う。ここでは、所定時間待機して、平滑コンデンサ１２に充分に電荷を蓄える。その後、正側メインスイッチ３ａをオンにする。
この後、ステップＳ２３に移り、第１電磁コイル５ａに加える電圧を低電圧に下げて、プリチャージスイッチ３ｃをオフにする。これにより、正側メインスイッチ３ａと負側メインスイッチ３ｂのみがオンした電力供給状態となる。
その他、実施例１と同様の構成を備える。
【００７５】
本例の作用効果について説明する。本例では図１１に示すごとく、負側メインスイッチ３ｂとプリチャージスイッチ３ｃとを第１電磁コイル５ａによって開閉し、正側メインスイッチ３ａを第２電磁コイル５ｂによって開閉する。そして、第１電磁コイル５ａへ低電圧を加えることにより、２つのスイッチ３ｂ，３ｃのうち負側メインスイッチ３ｂのみをオンするよう構成されている。
このようにすると、第１電磁コイル５ａと第２電磁コイル５ｂとの２個の電磁コイルを使って、電力遮断状態とプリチャージ状態と電力供給状態との切り替えを容易に行うことができる。
【００７６】
また、本例では図１３に示すごとく、第１電磁コイル５ａに高電圧を加えてプリチャージ状態にし（ステップＳ２１）、所定時間待機して（ステップＳ２２）平滑コンデンサ１２に電荷を蓄えた後、正側メインスイッチ３ａをオンにする。その後、第１電磁コイル５ａに加える電圧を低電圧へ下げることにより（ステップＳ２３）、プリチャージスイッチ３ｃのみをオフして電力供給状態にする。
仮に、平滑コンデンサ１２に電荷を蓄えた後、プリチャージスイッチ３ｃをオフにし、その後、２個のメインスイッチ３ａ，３ｂをオンにすると、プリチャージスイッチ３ｃをオフにしてから２個のメインスイッチ３ａ，３ｂをオンにするまでの間は平滑コンデンサ１２に電圧が加わらないため、平滑コンデンサ１２に蓄えた電荷が放電しやすくなる。しかしながら上述のように、平滑コンデンサ１２に電荷を蓄えた後、２個のメインスイッチ３ａ，３ｂをオンにし、その後、プリチャージスイッチ３ｃをオフにすれば、これらのスイッチの切り替えを行っている間は平滑コンデンサ１２に電圧が加わるため、平滑コンデンサ１２の電荷が放電されることを防止できる。
【００７７】
また、本例では図１２に示すごとく、電子機器１１を稼動する前に、プリチャージスイッチ３ｃ又は正側メインスイッチ３ａが溶着しているか否か判断する第１溶着判断手段６５と、負側メインスイッチ３ｂが溶着しているか否かを判断する第２溶着判断手段６６とを備える。
このようにすると、電子機器１１を稼動する前に、３個のスイッチ３ａ〜３ｃのいずれかが溶着しているか否かを判断することができる。そのため、いずれかのスイッチ３が溶着していると判断した場合には、安全性確保のため、電子機器１１を稼動しないように制御することができる。これにより、電子機器１１の安全性を高めることができる。
その他、実施例１と同様の作用効果を有する。
【００７８】
なお、本例では、図１１に示すごとく、直列体１３を正側スイッチ３ａに並列接続したが、直列体１３を負側スイッチ３ｂに並列接続してもよい。この場合、プリチャージスイッチ３ｃと正側スイッチ３ａを第１電磁コイル３ａによって開閉し、負側スイッチ３ｂを第２電磁コイル３ｂによって開閉することになる。
【００７９】
（実施例３）
本例は、スイッチ３と電磁コイル５の数を変更した例である。図１４に示すごとく、本例の電源システム１は、メインスイッチ３ｄとプリチャージスイッチ３ｃとの２個のスイッチ３と、１個の電磁コイル５を備える。また、本例の電源システム１は、プリチャージ抵抗４と、制御回路部６とを備える。メインスイッチ３ｄは、直流電源１０の正端子と電子機器１１の高電位側端子１１１との間に設けられている。また、プリチャージスイッチ３ｃは、プリチャージ抵抗４に直列接続してある。電磁コイル５は、メインスイッチ３ｄとプリチャージスイッチ３ｃとの２個のスイッチ３を開閉する。
【００８０】
図１４に示すごとく、プリチャージ抵抗４とプリチャージスイッチ３ｃを直列接続した直列体１３が、メインスイッチ３ｄに並列接続されている。
制御回路部６は、２個のスイッチ３ｃ，３ｄをオフにした電力遮断状態と、プリチャージスイッチ３ｃのみをオンすることにより平滑コンデンサ１２に電荷を蓄えるプリチャージ状態と、プリチャージ状態の後、２個のスイッチ３ｃ，３ｄを両方ともオンすることにより電子機器１１へ電力を供給する電力供給状態と、を切り替える。
【００８１】
電磁コイル５に相対的に低い低電圧を加えると、プリチャージスイッチ３ｃのみがオンになり、上記低電圧よりも高い高電圧を加えると、メインスイッチ３ｄとプリチャージスイッチ３ｃが共にオンになるよう構成されている。
【００８２】
図１５に示すごとく、電子機器１１を稼動する際には、まず、電磁コイル５に相対的に低い低電圧を加えることにより、プリチャージスイッチ３ｃのみをオンする。これにより、プリチャージ抵抗４を介して平滑コンデンサ１２に徐々に電荷を蓄えるプリチャージ状態になる（ステップＳ２４）。この後、ステップＳ２５に移る。ここでは、所定時間待機することにより、平滑コンデンサ１２に電荷を充分に蓄える。その後、上記高電圧を加えることにより、メインスイッチ３ｄとプリチャージスイッチ３ｃを共にオンして電力供給状態にする。
その他、実施例１と同様の構成を備える。
【００８３】
本例の作用効果について説明する。本例の電源システム１は、電磁コイル５に低電圧を加えることにより、プリチャージスイッチ３ｃのみをオンにし、高電圧を加えることにより、メインスイッチ３ｄとプリチャージスイッチ３ｃを両方ともオンするよう構成されている。
このようにすると、電磁コイル５に加える電圧を変えることにより、プリチャージスイッチ３ｃのみをオンしたり、両方のスイッチ３ｃ，３ｄをオンしたりすることが可能になる。そのため、この１個の電磁コイル５を使って２つのスイッチ３ｃ，３ｄを開閉し、電力遮断状態とプリチャージ状態と電力供給状態とを容易に切り替えることができる。
このように、本例では、電磁コイル５の数をスイッチ３ｃ，３ｄの数より少なくしつつ、上記３つの状態の切り替えを行うことが可能になる。そのため、電源システム１の製造コストを低減することができる。
【００８４】
なお、本例では、電力供給状態において、メインスイッチ３ｄとプリチャージスイッチ３ｃを両方オンするため、電力供給状態ではプリチャージ抵抗４に電流が流れ続ける。しかし、プリチャージ抵抗４に抵抗値が大きな抵抗を用いれば、殆どの電流はメインスイッチ３ｄを流れることになり、プリチャージ抵抗４には電流はあまり流れなくなる。そのため、本例の回路でも実現可能である。
【００８５】
また、本例では、メインスイッチ３ｄを、直流電源１０の正端子と電子機器１１の高電位側端子１１１との間に設けたが、直流電源１０の負端子と電子機器１１の低電位側端子１１２との間に設けてもよい。
【００８６】
その他、実施例１と同様の作用効果を有する。
【符号の説明】
【００８７】
１  電源システム
１０  直流電源
１１  電子機器
１２  平滑コンデンサ
１３  直列体
２ａ  正側配線
２ｂ  負側配線
３ａ  正側メインスイッチ
３ｂ  負側メインスイッチ
３ｃ  プリチャージスイッチ
４  プリチャージ抵抗
５ａ  第１電磁コイル
５ｂ  第２電磁コイル
６  制御回路部
【図１】
0005826069.tif 000002
【図２】
0005826069.tif 000003
【図３】
0005826069.tif 000004
【図４】
0005826069.tif 000005
【図５】
0005826069.tif 000006
【図６】
0005826069.tif 000007
【図７】
0005826069.tif 000008
【図８】
0005826069.tif 000009
【図９】
0005826069.tif 000010
【図１０】
0005826069.tif 000011
【図１１】
0005826069.tif 000012
【図１２】
0005826069.tif 000013
【図１３】
0005826069.tif 000014
【図１４】
0005826069.tif 000015
【図１５】
0005826069.tif 000016
【図１６】
0005826069.tif 000017